(57)【要約】【課題】管電流変調をきめ細かく精度よく操作性よく設定すること。【解決手段】Ｘ線コンピュータ断層撮影装置は、Ｘ線管装置１０１と、高電圧発生部１０９と、Ｘ線検出器１０３と、寝台装置１１１と、回転機構とを有する。Ｘ線検出器の出力から発生される投影データに基づいてボリュームデータが再構成処理部１１８で再構成される。ボリュームデータから複数の臓器領域が抽出処理部１２３により抽出される。抽出された複数の臓器領域に関する複数の線量が本スキャンのスキャン条件に従って線量計算部１２４で計算される。複数の線量は表示部に表示される。【選択図】      図１
2015205065.tif 000002
【特許請求の範囲】
【請求項１】
Ｘ線管装置と、
前記Ｘ線管装置に印加するための管電圧を発生する高電圧発生部と、
Ｘ線検出器と、
被検体を載置する寝台装置と、
前記Ｘ線管装置と前記Ｘ線検出器とを前記被検体の周囲を回転自在に支持する回転機構と、
前記Ｘ線検出器の出力から発生される投影データを記憶する記憶部と、
前記投影データに基づいてボリュームデータを再構成する再構成処理部と、
前記ボリュームデータから複数の臓器領域を抽出する抽出処理部と、
前記抽出された複数の臓器領域にそれぞれ対応する複数の線量を本スキャンのスキャン条件に従って計算する線量計算部と、
前記計算された複数の線量を表示する表示部とを具備することを特徴とするＸ線コンピュータ断層撮影装置。
【請求項２】
前記複数の線量は前記ボリュームデータから生成された３次元画像又は断面画像に重ねて表示されることを特徴とする請求項１記載のＸ線コンピュータ断層撮影装置。
【請求項３】
前記抽出された臓器領域は前記ボリュームデータから生成された投影像に重ねて表示されることを特徴とする請求項１記載のＸ線コンピュータ断層撮影装置。
【請求項４】
前記抽出された臓器領域にＸ線感受性の高い「精巣」、「卵巣」、「脊髄」、「水晶体」の領域が含まれるときは前記Ｘ線感受性の高い領域には注意喚起色として特異な色が割り当てられることを特徴とする請求項３記載のＸ線コンピュータ断層撮影装置。
【請求項５】
前記再構成処理部は、前記投影データから逐次近似再構成又は他の再構成法により前記ボリュームデータを再構成することを特徴とする請求項１記載のＸ線コンピュータ断層撮影装置。
【請求項６】
前記本スキャン前に位置決めスキャンが実行され、前記位置決めスキャンにおいては前記Ｘ線管装置と前記Ｘ線検出器とが回転しながら前記本スキャンよりも低線量のＸ線により前記被検体の周囲にわたる前記投影データが収集されることを特徴とする請求項１記載のＸ線コンピュータ断層撮影装置。
【請求項７】
前記線量計算部は、前記計算された複数の線量をそれぞれの上限値と比較することを特徴とする請求項１記載のＸ線コンピュータ断層撮影装置。
【請求項８】
前記上限値を超過した線量は臓器名称と共に注意喚起色として特異な色が割り当てられることを特徴とする請求項７記載のＸ線コンピュータ断層撮影装置。
【請求項９】
前記線量計算部は、前記計算された複数の線量を前記被検体に関する過去の線量と臓器ごとに累積することを特徴とする請求項１記載のＸ線コンピュータ断層撮影装置。
【請求項１０】
前記線量計算部は、前記累積された線量をそれぞれの上限値と比較することを特徴とする請求項９記載のＸ線コンピュータ断層撮影装置。
【請求項１１】
前記上限値を超過した累積線量は臓器名称と共に注意喚起色として特異な色が割り当てられることを特徴とする請求項１０記載のＸ線コンピュータ断層撮影装置。
【請求項１２】
Ｘ線コンピュータ断層撮影装置により収集されたボリュームデータから複数の臓器領域を抽出する抽出処理部と、
前記抽出された複数の臓器領域にそれぞれ対応する複数の線量を本スキャンのスキャン条件から計算する線量計算部と、
前記計算された複数の線量を表示する表示部とを具備することを特徴とするスキャン計画設定支援装置。
【発明の詳細な説明】
【技術分野】
【０００１】
本発明の実施形態は、Ｘ線コンピュータ断層撮影装置（Ｘ線ＣＴ）及びスキャン計画設定支援装置に関する。
【背景技術】
【０００２】
近年の低線量撮影技術の進歩により、診断に用いる本スキャンの低線量化が進んでいる。スキャン計画段階で本スキャンのスキャン位置や範囲、再構成位置や範囲の決定、管電圧、管電流等を設定するために位置決め用の画像の撮影がなされている。図７に示すように位置決め用画像は例えばＸ線管を０°の位置、つまり天板に仰臥する被検体に対して正面方向の位置にＸ線管を固定して天板を定速移動又は断続移動させながら連続的に又は天板移動／停止に同期して断続的に撮影を繰り返すことで撮影される。正面方向（０°）に加えて側面方向（９０°）の２方向、さらに任意方向から位置決め用画像を収集することもあるが、撮影後に表示方向を変更することはできない。
【０００３】
上述したように現状では位置決め用画像はＸ線管球の回転を停止させてデータ収集しているため、１方向、多くても２方向の情報しか得ることができず、また投影像に過ぎないためＣＴ値情報を持っていない。そのため正確に被検体の臓器認識をすることができず、臓器ごとの線量管理はできない。被ばく線量に関しても、ＣＴＤＩ（Computed Tomography Dose Index）、ＤＬＰ（Dose Length Product）にて管理するのみである。
【先行技術文献】
【特許文献】
【０００４】
【特許文献１】特開平７−２３９４６号公報
【発明の概要】
【発明が解決しようとする課題】
【０００５】
目的は、スキャン計画において臓器ごとの被曝線量管理を高い精度で実現することにある。
【課題を解決するための手段】
【０００６】
本実施形態に係るＸ線コンピュータ断層撮影装置は、Ｘ線管装置と、前記Ｘ線管装置に印加するための管電圧を発生する高電圧発生部と、Ｘ線検出器と、被検体を載置する寝台装置と、前記Ｘ線管装置と前記Ｘ線検出器とを前記被検体の周囲を回転自在に支持する回転機構と、前記Ｘ線検出器の出力から発生される投影データを記憶する記憶部と、前記投影データに基づいてボリュームデータを再構成する再構成処理部と、前記ボリュームデータから複数の臓器領域を抽出する抽出処理部と、前記抽出された複数の臓器領域にそれぞれ対応する複数の線量を本スキャンのスキャン条件に従って計算する線量計算部と、前記計算された複数の線量を表示する表示部とを具備する。
【図面の簡単な説明】
【０００７】
【図１】図１は本実施形態に係るＸ線コンピュータ断層撮影装置の構成を示す図である。
【図２】図２は本実施形態によるＣＴ検査全体の処理手順を示す流れ図である。
【図３】図３は図２の工程Ｓ１１のヘリカルスキャンを示す図である。
【図４】図４は図２の工程Ｓ１１のノンヘリカルスキャンを示す図である。
【図５】図５は図１のスキャンエキスパートシステムで構成されるスキャン計画設定画面例を示す図である。
【図６】図６は図５の線量一覧表示部分の拡大図である。
【図７】図７は従来の撮影方法により取得される１方向の投影像（位置決め用画像）を示す図である。
【発明を実施するための形態】
【０００８】
以下、図面を参照しながら本実施形態に係わるＸ線コンピュータ断層撮影装置及びスキャン計画設定支援装置について説明する。従来の位置決め画像の撮影と同程度の線量で本スキャン前のスキャン計画に用いられる位置決め用画像のためのデータを収集するスキャン（位置決めスキャンという）により収集した投影データから再構成されるボリュームデータを用いることで、被検体の３次元的な情報を得ることが可能となる。得られる情報量を従来の一方向又は二方向から撮影した投影像（位置決め用画像）のそれに比べて大幅に増加させることができ、本スキャンのスキャン計画立案に十分な情報を与えることができる。スキャン範囲中の被検体の臓器などの範囲や位置を３次元上で正確に把握出来るので、本スキャン前のスキャン計画時においてどの部位にどれだけ線量がかかるか、また検査後の臓器ごとの被ばく線量管理もより正確に実施出来るようになる。
【０００９】
図１は本実施形態に係るＸ線コンピュータ断層撮影装置の構成を示す図である。Ｘ線コンピュータ断層撮影装置には、Ｘ線管装置１０１とＸ線検出器１０３とが１体として回転軸を中心として被検体の周囲を回転する回転／回転（ROTATE/ROTATE）タイプと、リング状に多数の検出素子がアレイされ、Ｘ線管装置１０１のみが被検体の周囲を回転する固定／回転（STATIONARY/ROTATE）タイプ等様々なタイプがあり、いずれのタイプでも適用可能である。ここでは、現在、主流を占めている回転／回転タイプとして説明する。また、１スライスの断層像データを再構成するには、被検体の周囲１周、約３６０°分の投影データが、またハーフスキャン法でも１８０°＋ファン角分の投影データが必要とされる。いずれの再構成方式にも本発明を適用可能である。また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流である。Ｘ線検出素子としては、それらのいずれの方式を採用してもよいが、ここでは、前者の間接変換形として説明する。また、近年では、Ｘ線管とＸ線検出器との複数のペアを回転リングに搭載したいわゆる多管球型のＸ線コンピュータ断層撮影装置の製品化が進み、その周辺技術の開発が進んでいる。本発明では、従来からの一管球型のＸ線コンピュータ断層撮影装置であっても、多管球型のＸ線コンピュータ断層撮影装置であってもいずれにも適用可能である。ここでは、一管球型として説明する。
【００１０】
本実施形態のＸ線コンピュータ断層撮影装置は、ガントリ１００を有する。ガントリ１００は、円環状の回転フレーム１０２を有する。回転フレーム１０２は、架台駆動部１０７とともに回転機構を構成する。回転フレーム１０２は、架台駆動部１０７により駆動され回転軸ＲＡを中心に回転する。回転フレーム１０２には、Ｘ線管装置１０１とＸ線検出器１０３とが対向搭載されている。スキャンに際してはＸ線管装置１０１とＸ線検出器１０３との間に寝台装置１１１の天板に載置された被検体が挿入される。天板は寝台装置１１１内に装備された図示しない駆動部によりその長手方向に沿って前後に移動される。
【００１１】
Ｘ線管装置１０１は、高電圧発生装置１０９からスリップリング１０８を経由して管電圧の印加及びフィラメント電流の供給を受け、Ｘ線を発生する。Ｘ線検出器１０３は、被検体を透過したＸ線を検出し、入射Ｘ線の線量を反映した電気信号を出力する複数のＸ線検出素子を有する。複数のＸ線検出素子は、例えば３２０列×９１２チャンネルの２次元状に配列されている。
【００１２】
データ収集回路１０４は、Ｘ線検出器１０３から出力される信号を収集し、ディジタル信号（生データと呼ばれる）に変換する。データ収集回路１０４には非接触データ伝送装置１０５を経由して前処理装置１０６に接続される。前処理装置１０６は、純生データに対して感度補正、対数変換等の処理をほどこし、投影データを発生する。投影データは記憶装置１１２に記憶される。スキャン制御部１１０は、後述するスキャン計画情報に従ってスキャンを実行するために、架台駆動部１０７、高電圧発生装置１０９、寝台装置１１１の各動作を制御する。
【００１３】
画像再構成部１１７は、従来の２次元の位置決め用画像の撮影と同程度の低線量Ｘ線によるスキャニングで収集する投影データに基づいて画像データを比較的低ノイズで再構成するために設けられる。画像再構成部１１７による再構成手法は、ノイズ低減に適用性の比較的高い任意の手法が用いられる。例えば、逐次近似法を応用した画像再構成法（逐次近似法応用画像再構成法）が用いられる。ここでは、画像再構成部１１７は、逐次近似法応用画像再構成法によりボリュームデータを再構成するものとして以下記載するが、上記の通り逐次近似法応用画像再構成法に限定されるものではない。
【００１４】
画像再構成部１１７は、例えば逐次近似応用再構成法によるアルゴリズムにより、記憶装置１１２に記憶された投影データに基づいて画像データ、ここではボリュームデータを再構成する。ボリュームデータは記憶装置１１２に記憶される。逐次近似応用再構成処理は、本スキャン前にそのスキャン計画に用いるボリュームデータの再構成においても、また本スキャンにより収集する投影データに基づいて画像データ（断層像データ、ボリュームデータ）の再構成においても後述する再構成処理部１１８が装備する他方式の再構成処理と選択的に適用される。
【００１５】
逐次近似応用再構成法は、逐次近似法を応用したものである。逐次近似法とは、周知の通り、投影データに対する実測値と計算値の差を比較し、補正を繰り返しながら画像を再構成していく方法である。逐次近似応用再構成法は、逐次近似法の画像再構成サイクルの中で、投影データ上のノイズを低減する処理と、再構成された画像データ内でノイズを低減する処理を追加した方法である。逐次近似応用再構成法のアルゴリズムは、収集した投影データに対し、統計学的ノイズモデルとスキャナーモデルを用いてノイズを低減する。さらにアナトミカルモデルを用いて、画像再構成ドメインの中で、どれがノイズでどれが本当の投影データかを見極めてノイズ成分のみを抽出し、この作業を繰り返すことでノイズを高精度に除去、低減する。逐次近似応用再構成法は、低線量撮影と低ノイズ高画質とを両立させた再構成法である。
【００１６】
再構成処理部１１８は、ビューアングルが３６０°又は１８０°＋ファン角の範囲内の投影データに基づいて、画像再構成部１１７における逐次近似応用画像再構成法とは異なる例えばフェルドカンプ法、又はコーンビーム再構成法によりボリュームデータを再構成する。フェルドカンプ法は、コーンビームのように再構成面に対して投影レイが交差する場合の再構成法であり、コーン角が小さいことを前提として畳み込みの際にはファン投影ビームとみなして処理し、逆投影はスキャンの際のレイに沿って処理する近似的画像再構成法である。コーンビーム再構成法は、フェルドカンプ法よりもコーン角エラーが抑えられる方法として再構成面に対するレイの角度に応じて投影データを補正する再構成法である。ボリュームデータは記憶装置１１２に記憶される。
【００１７】
位置決めスキャンで収集した投影データからボリュームデータを再構成するにはノイズ低減に適用性の高い例えば逐次近似応用再構成法が適用され、一方、本スキャンで収集した投影データからボリュームデータを再構成するには逐次近似再構成法、フェルドカンプ法、コーンビーム再構成法が任意に選択される。
【００１８】
表示装置１１６は、主に、ボリュームデータから発生された画像を表示し、またスキャンエキスパートシステム１２０により構築されるスキャン計画支援画面を表示するために設けられる。入力装置１１５は、操作者の指示を入力するためにキーボード、マウス等から構成される。
【００１９】
３次元画像処理部１２１は、記憶装置１１２に記憶されるボリュームデータからボリュームレンダリング処理により３次元画像のデータを発生する機能、断面変換処理（ＭＰＲ処理）によりボリュームデータからアキシャル／サジタル／コロナル又は任意のオブリーク断面に関する断面画像のデータを発生する機能を有する。投影像発生処理部１２２は、記憶装置１１２に記憶されている投影データから位置決め用画像として投影像のデータを発生する。例えばスキャン計画支援画面上で、例えば０°、４５°、９０°から任意のビューアングルが選択的に指定されると、スキャンエキスパートシステム１２０の制御により当該ビューアングルにＸ線管装置１０１が位置するときに収集された投影データが記憶装置１１２から読み出される。ビューアングルとは投影データ収集時のＸ線管装置１０１の回転軌道上の位置を角度で表記したものである。０°はＸ線管装置１０１がその回転軌道上の頂上の位置にあることを表している。投影像発生処理部１２２は、読み出された同じビューアングルの投影データをそれぞれの天板位置に従って配列し、一枚に合成することにより、従来同等の位置決め用画像のデータを発生する。
【００２０】
部位抽出処理部１２３は、記憶装置１１２に記憶されるボリュームデータから典型的には閾値処理とパターン認識を併用してスキャン範囲に含まれる複数の臓器領域を抽出する。特に部位抽出処理部１２３は、Ｘ線感受性の高い「精巣」、「卵巣」、「脊髄」、「眼球（水晶体）」等の領域をそれぞれ臓器に適用される閾値及び形状パターンに従ってボリュームデータから抽出する。抽出された臓器領域の情報はスキャンエキスパートシステム１２０に供給される。
【００２１】
線量計算処理部１２４は、例えばスキャン計画された本スキャンの管電流、管電圧、スライス厚、スキャン時間等に基づいて、抽出された臓器領域について個々に実効線量（ｍＳｖ）、等価線量（ｍＳｖ）を計算する。各臓器の実効線量（ｍＳｖ）は各臓器の等価線量にそれぞれの組織荷重係数を乗じることで求められる。各臓器の等価線量は、臓器ごとの吸収線量に臓器ごとの放射線荷重係数を乗じることで求められる。吸収線量は、管電圧及び管電流によるＸ線条件、スキャン時間等から計算され、各臓器の容積の総和として臓器ごとの吸収線量が計算される。なお各臓器の実効線量、各臓器の等価線量、臓器ごとの吸収線量を求める方法既存の方法を任意に用いることができる。本スキャン前の位置決めスキャンでボリュームデータを収集することができるので、臓器領域を３次元で正確に抽出して、その線量を高精度に計算することができる。
【００２２】
スキャンエキスパートシステム１２０は、ユーザによるスキャン計画の設定を支援するために、検査依頼情報に含まれる検査目的及び検査対象臓器、被検体の年齢や性別等に対して好適な複数のスキャン計画候補を選択し、それらのスキャン計画候補のリストを検査依頼内容とともにスキャン計画支援画面を構築する。図５に例示するように、スキャン計画支援画面には、位置決め用画像と、位置決めスキャン範囲全体の３次元画像とが含まれる。位置決め用画像には本スキャンのスキャン範囲が矩形の補助枠線として重ねられる。
【００２３】
スキャンエキスパートシステム１２０は、部位抽出処理部１２３で抽出された臓器領域をそれぞれ割り当てられているカラーでスキャン計画支援画面上の位置決め用画像、３次元画像に重ねる。特にＸ線感受性の高い「精巣」、「卵巣」、「脊髄」、「眼球（水晶体）」等の領域は注意喚起色として例えば赤色が割り当てられ、位置決め用画像、３次元画像に重ねられる。
【００２４】
スキャンエキスパートシステム１２０は、部位抽出処理部１２３で抽出された複数の臓器領域に対して線量計算処理部１２４により個々に計算された複数の臓器領域それぞれの実効線量（ｍＳｖ）、等価線量（ｍＳｖ）をスキャン計画支援画面上の所定エリアに一覧に配列する。またスキャンエキスパートシステム１２０は、線量計算処理部１２４により個々に計算された複数の臓器領域それぞれの実効線量、等価線量をスキャン計画支援画面上の３次元画像又は位置決め用画像上に各臓器領域から引き出し線を介して重ねる。
【００２５】
スキャンエキスパートシステム１２０は、線量計算処理部１２４により各臓器に対して計算された実効線量（ｍＳｖ）、等価線量（ｍＳｖ）が各臓器について予め規定されている上限値を超過するとき、その旨を注意喚起するためのメッセージをスキャン計画支援画面上に表示する。
【００２６】
その他、スキャン位置、スキャン範囲、再構成位置、再構成範囲、管電圧、スライス厚、再構成関数等がスキャン計画支援画面上で指定される。スキャンエキスパートシステム１２０は、確定されたスキャン計画に従ってスキャン計画情報を発生する。スキャン計画情報はスキャン制御部１１０に送られ、スキャン制御部１１０の制御下でスキャン計画情報に従って本スキャンが実行される。
【００２７】
図２には本実施形態によるスキャン計画段階の低線量の位置決めスキャンから本スキャンを経て最終的に画像表示に至るＣＴ検査全体の処理手順を示している。スキャン計画段階ではまずスキャン制御部１１０の制御により、被検体の胸部全体、腹部全体、上半身全体など比較的広範囲に対して、本スキャンよりも低線量で図３に例示するヘリカルスキャン方式又は図４に例示するノンヘリカルスキャン方式により位置決めスキャンが実行される。ヘリカルスキャン方式のとき、Ｘ線管装置１０１及びＸ線検出器１０３が被検体の周囲を連続的に回転しながら、Ｘ線検出器１０３で被検体の透過Ｘ線の検出が繰り返され、それと共に被検体を載置した天板が連続的に移動される。ノンヘリカルスキャン方式の場合、天板が停止した状態で１周分の投影データが収集され、その後、天板がコーン広がり角に応じた所定距離を移動され、その位置で１周分の投影データが収集され、そのような動作が繰り返される。位置決めスキャンにより被検体の体軸に沿った広範囲にわたる３６０°分の投影データが収集される（Ｓ１１）。この位置決めスキャンにより収集された投影データに基づいて画像再構成部１１７によりボリュームデータが再構成される（Ｓ１２）。ボリュームデータは記憶装置１１２に記憶される。
【００２８】
位置決めスキャンで収集された全周分の投影データのうち、Ｘ線管装置１０１が例えば０°、４５°、９０°から入力装置１１５を介して任意に選択された角度で収集された投影データが記憶装置１１２から投影像発生処理部１２２に読み出される。図３、図４に示すように、読み出された投影データは天板位置（体軸方向の位置）に従って配列され、一枚に合成される。それにより一方向から見た位置決め用画像（投影像）のデータが発生される。初期的には０°の位置決め用画像が生成され、図５に示すように、スキャン計画支援画面に表示される。他の４５°又は９０°の投影方向が入力装置１１５を介して選択されたとき、当該選択された他の４５°又は９０°の位置決め用画像が生成され、その表示に切り換えられる。スキャン計画支援画面上の位置決め用画像上にはスキャン範囲の補助枠線が重ねられる。
【００２９】
部位抽出処理部１２３により、記憶装置１１２に記憶されるボリュームデータからＣＴ値のボリュームデータが得られるので検査対象などの臓器領域を閾値処理で抽出し、又は標準的なアナトミカルモデルとのマッチング処理により臓器のセグメンテーションを行うことで臓器領域を同定することができる（Ｓ１３）。特にＸ線感受性の高い、被ばくに対する危険性の高い「精巣」、「卵巣」、「脊髄」、「眼球（水晶体）」等の領域が抽出されたときそれら臓器領域は重要である。抽出された臓器領域の情報はスキャンエキスパートシステム１２０に供給される。
【００３０】
スキャン計画支援画面にはスキャン計画において、スキャン開始時間、休止時間、スキャン開始位置、スキャン終了位置、スキャンモード、スキャン数、管電圧（ｋＶ）、管電流（ｍＡ）、スキャン範囲（Ｃ−ＦＯＶ）、再構成範囲（Ｄ−ＦＯＶ）、スキャン速度（合計時間）、撮影スライス厚、移動範囲、スキャン後移動量、スキャン時間等の推奨値が個々に数値で表され、ユーザは任意に設定する（Ｓ１４）。
【００３１】
抽出された臓器領域について個々に、スキャン計画上で設定された本スキャンに係る管電流、管電圧、スライス厚、スキャン時間等のスキャン条件に基づいて実効線量（ｍＳｖ）と等価線量（ｍＳｖ）とが線量計算処理部１２４により計算される（Ｓ１５）。まず、吸収線量が本スキャンのスキャン条件内の管電圧、管電流、スキャン時間等から計算され、各臓器の容積の総和として臓器ごとの吸収線量が計算される。この臓器ごとの吸収線量に臓器ごとの放射線荷重係数を乗じることで各臓器の等価線量が求められる。各臓器の等価線量にそれぞれの組織荷重係数を乗じることで各臓器の実効線量が計算される。
【００３２】
計算された各臓器の実効線量又は等価線量は、スキャンエキスパートシステム１２０によりスキャン計画支援画面に重ねて表示される。実効線量と等価線量とのいずれを表示するかはユーザにより随時選択され得る。例えば図６に示すように、抽出されたスキャン範囲内のすべての臓器に関する実効線量（又は等価線量）が臓器名称と共にと共に一覧で表示され、またスキャン範囲内のすべての臓器又はその一部の臓器に関する実効線量（又は等価線量）が３次元画像上に引き出し線を介してその臓器名称と共に表示される（Ｓ１６）。一部の臓器としては検査対象臓器、上記感受性の高い臓器が含まれる。一覧で表示された臓器名称と実効線量のうち、検査対象臓器に関する臓器名称と実効線量は他の臓器に関する臓器名称と実効線量とは異なる態様、例えば固有色（青色）で表示される。感受性の高い臓器に関する臓器名称と実効線量は、他の臓器に関する臓器名称と実効線量とは明らかに異なる特異色、例えば赤色で表示される。残りの臓器は例えば白色又は黒色で表示される。
【００３３】
線量計算処理部１２４又はスキャンエキスパートシステム１２０はすべての臓器に関するそれぞれの線量限界のデータを保持している。計算された各臓器の実効線量又は等価線量が、それぞれの線量限界を超過しているとき、その臓器に関する臓器名称と実効線量等との表示態様を定常表示から点滅表示に変化して注意喚起を促す。これら計算された各臓器の実効線量及び等価線量のデータは記憶装置１１２に記憶される。線量計算処理部１２４では、同じ被検体に係る例えば過去一年分の実効線量及び等価線量のデータを記憶装置１１２から受け取り、それらを臓器ごとに累積する。それにより臓器ごとの年間累積実効線量及び年間累積等価線量が計算される。これら年間累積実効線量及び年間累積等価線量はユーザ指示にしたがってスキャン計画支援画面に表示される。年間累積実効線量と年間累積等価線量との少なくとも一方がそれぞれの上限値を超過しているとき、注意喚起を促すために、当該臓器とその年間累積実効線量又は年間累積等価線量をそれぞれの上限値と共にスキャン計画支援画面に強制的に表示される。
【００３４】
スキャン計画支援画面内の「確定」ボタンのクリックにより、スキャン計画、その中のスキャン条件が確定される（Ｓ１８）。それによりスキャン位置、スキャン範囲、再構成位置、再構成範囲等が決定され、管電流の変調の有無、変調区間等の変調設定が決定される。
【００３５】
スキャン計画が確定すると、スキャンエキスパートシステム１２０により、確定されたスキャン計画に従ってスキャン計画情報が発生され、そのスキャン計画情報に従ってスキャン制御部１１０の制御下で本スキャンが実行される（Ｓ１９）。
【００３６】
本スキャンにより収集された投影データに基づいて例えばコーンビーム再構成法によりボリュームデータが再構成され、３次元画像処理部１２１により３次元画像が生成され表示装置１１６に表示される（Ｓ２０）。
【００３７】
従来ではＸ線管を回転させず、通常０°方向に固定したままＸ線をばく射すると同時に寝台をＺ方向に動かすことでスキャン範囲を決めるための位置決め用画像を撮影している。スキャン計画に際しては当該一方向の位置決め用画像、せいぜい２方向の位置決め用画像からスキャン範囲等を設定しているにすぎない。本実施形態では通常のスキャンと同様にＸ線管を回転させながら３６０°方向の投影データを収集し、得られた全周方向の投影データを用いて３次元画像を発生して対象臓器等の３次元構造を確認し、また臓器領域を抽出できる。それにより臓器ごとに線量を高精度に計算することができる。そして各臓器に対して計算された線量が各臓器について予め規定されている上限値を超過するとき、その旨を注意喚起するためのメッセージを表示することができるので、ユーザは適宜本スキャンの管電流などのスキャン条件を修正することができる。
【００３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１００…ガントリ、１０１…Ｘ線管、１０２…回転フレーム、１０３…Ｘ線検出器、１０４…データ収集回路、１０５…非接触データ伝送装置、１０６…前処理装置、１０７…架台駆動部、１０８…スリップリング、１０９…高電圧発生装置、１１０…ホストコントローラ、１１２…記憶装置、１１５…入力装置、１１６…表示装置、１２０…スキャンエキスパートシステム、１２１…３次元画像処理部、１２２…投影像発生処理部、１２３…部位抽出処理部、１２４…線量計算処理部。
【図１】
2015205065.tif 000003
【図２】
2015205065.tif 000004
【図３】
2015205065.tif 000005
【図４】
2015205065.tif 000006
【図５】
2015205065.tif 000007
【図６】
2015205065.tif 000008
【図７】
2015205065.tif 000009